【手続補正書】
【提出日】平成23年9月16日(2011.9.16)
【手続補正１】
【補正対象書類名】明細書
【補正対象項目名】００１６
【補正方法】変更
【補正の内容】
【００１６】
シース２２は、シースの側壁４４を通って共同開口又は交換ポートとして機能するスロット又は開口３０を含む。開口３０は、直線のかみそりで裂いたり、適切な工具で切削することを含む周知の方法によって、シース２２の側壁４４に形成されることができる。スロット３０の一方又は他方の端は、シース２２の長手方向の軸に対して垂直になるように形成されることができる。また、一方又は他方の端には、スロット３０の近位端とガイドワイヤとの間の角度を減少するために、テーパが形成されることができる。図３Ａに示すように、スロット３０は変化する長さ４２を有するように形成できるが、約０．２ｍｍ〜０．３８ｍｍであることが好ましい。スロット３０は、スロット３０とガイドワイヤ２６又は風船ワイヤとの間に十分な隙間を作る幅を有することができる。また、スロット３０は、ガイドワイヤ２６又は風船ワイヤとスリット壁との間に締まりばめをもたらすスリットとして形成されることもできる。スロット３０は、デバイスの使用中に、ユーザに対して正の触覚フィードバックを提供する特徴を有して構成されることができる。ガイドワイヤ２６又は風船ワイヤを固定するためにスロット３０の近位端と遠位端で係止をもたらすバーベル形状を有するスロット３０を含むことができる。スロット３０は、スロット３０のエッジに沿って粗い面又はセレーションを備えることもでき、これにより触覚フィードバックの機能を高めることができる。スロット３０は、シースの先端から一定の距離でカットされることができ、特別の設計要求に応じて、シース２２の先端から約１ｃｍ〜約５０ｃｍでカットされる。範囲は、シース２２の先端から約５ｃｍ〜約３１ｃｍであることが好ましく、シース２２の先端から約２５ｃｍ〜約３２ｃｍであることが最も好ましい。
【手続補正２】
【補正対象書類名】明細書
【補正対象項目名】００２１
【補正方法】変更
【補正の内容】
【００２１】
図３Ａで示されるように（シース２２の側壁４４を貫くスロット３０に類似して）、ダイレータ２４は側壁を貫くスロット４６を有している。ダイレータスロット４６は、直線のかみそりでスカイビングしたり、適切な工具で切削することを含む周知の方法によって、ダイレータ２４の側壁を貫いて形成されている。スロット４６の一方又は他方の端は、ダイレータ２４の長手方向の軸に対して垂直になるように形成されることができる。また、一方又は他方の端には、ダイレータスロット４６の近位端とガイドワイヤ２６との間の角度を減少するために、テーパを形成することができる。
【手続補正３】
【補正対象書類名】明細書
【補正対象項目名】００２２
【補正方法】変更
【補正の内容】
【００２２】
ダイレータスロット４６は、ダイレータチップの近傍約１ｃｍからルーアハブ２９の遠位端まで延びる長さを有している。また、ダイレータスロット４６は、ダイレータチップの近傍約１ｃｍからチップ近傍の約１００ｃｍまで延びることが好ましい。また、ダイレータスロット４６は、ダイレータチップの近傍約１ｃｍからチップ近傍の約３３ｃｍまで延びることがより好ましい。他の実施形態において、ダイレータスロット４６（以下で説明するように、スリットとして構成されたとき）は、チップから、例えば、チップの近傍の約３３ｃｍまで延びることができる。
【手続補正４】
【補正対象書類名】特許請求の範囲
【補正対象項目名】全文
【補正方法】変更
【補正の内容】
【特許請求の範囲】
【請求項１】
カテーテルアセンブリであって、
全長を延びるルーメンを有するチューブ状シースであって、シース側壁と、外径及び内径と、シース側壁を貫く開口の形態であるシース交換ポートとを有するチューブ状シースと、
全長を延びるルーメンを有するチューブ状ダイレータであって、ダイレータ側壁と、外径及び内径と、チューブ状シースの内径より大きくない最大直径を有するテーパ状遠位端と、ダイレータ側壁を貫くスロットの形態であるダイレータ交換ポートとを有し、スロットがシースとダイレータの長手方向軸に平行な方向で測定された開口の長さより長く、ダイレータのテーパ状遠位端がシースの遠位端を越えて延びる延伸位置と、テーパ状遠位端がシースの中へ完全に隠れる引っ込んだ位置との間をシースに対してスライドするようにシースの中で位置決めされたチューブ状ダイレータと、を備え、
ガイドワイヤがシース交換ポートとダイレータ交換ポートとを通って延伸しながら、ダイレータとダイレータ交換ポートとが延伸位置と引っ込んだ位置との間をスライドできることを特徴とするカテーテルアセンブリ。
【請求項２】
ガイドワイヤの少なくとも一部がガイドワイヤスレッディングチューブを通って延び、ガイドワイヤスレッディングチューブがチューブ状シースの開口とスロットとチューブ状ダイレータのルーメンの少なくとも一部分とを通って延びることを特徴とする請求項１に記載のカテーテルアセンブリ。
【請求項３】
フィルタを回収するために構成され、ダイレータが引っ込んだ位置にあるとき、フィルタがシースの遠位端に引き出されることを特徴とする請求項１に記載のカテーテルアセンブリ。
【請求項４】
風船を回収するために構成された、ことを特徴とする請求項１に記載のカテーテルアセンブリ。
【請求項５】
カテーテルアセンブリであって、
テーパ状遠位端及び近位端間の一定の長さを有すると共に、全長を延びるルーメンを有するチューブ状ダイレータ部材であって、チューブ状ダイレータ部材が、外径及び内径と、壁と、壁を貫くスロットを有し、スロットはチューブ状ダイレータ部材の長さに沿って延びる一定の長さを有すると共に、スロットがチューブ状ダイレータ部材の近位端よりもチューブ状ダイレータ部材のテーパ状遠位端の近傍に配置されているチューブ状ダイレータ部材と、
全長を延びるルーメンを有するチューブ状シース部材であって、チューブ状ダイレータ部材の回りに配置され、外径及び内径と、壁と、遠位端及び近位端間の一定の長さとを有し、チューブ状シース部材の長さがチューブ状ダイレータ部材の長さより短く、壁を貫く開口を有し、該開口が、チューブ状ダイレータの壁を貫通するスロットの長さよりも短く、チューブ状ダイレータのスロットと整列するように配置され、ガイドワイヤが開口とスロットを通って延びることを許容するチューブ状シース部材と、
チューブ状ダイレータのテーパ状遠位端がチューブ状シース部材の内径より大きくない最大直径を有することを特徴とするカテーテルアセンブリ。
【請求項６】
一定の長さを有するガイドワイヤスレッディングチューブを備え、一定の長さの部分はガイドワイヤスレッディングチューブ内に含まれ、ガイドワイヤはチューブ状ダイレータ部材のテーパ状遠位端を通って延長し、ガイドワイヤスレッディングチューブ内のガイドワイヤは、ダイレータ部材のスロットと、チューブ状シース部材の開口とを通って延びる、ことを特徴とする請求項５に記載のカテーテルアセンブリ。
【請求項７】
チューブ状ダイレータ部材とチューブ状シース部材は、ダイレータ部材のスロットの長さと少なくとも等しい一定の長さに関して、互いに軸方向に動くことができ、スロットの長さに沿って動いたとき、チューブ状ダイレータ部材とチューブ状シース部材は、チューブ状ダイレータ部材のテーパ状遠位端がチューブ状シース部材の遠位端を越えて延長する第１の軸方向位置から、チューブ状シース部材の遠位端がチューブ状ダイレータ部材のテーパ状遠位端を越えて延長する第２の軸方向位置まで動く、請求項５に記載のカテーテルアセンブリ。
【請求項８】
ガイドワイヤが、第２の血管内デバイスを過ぎた第１の血管内デバイスから、患者の身体の外へガイドワイヤの近位端を越えて延び、第２の血管内デバイスから遠くに配置された第１の血管内デバイスを回収する方法であって、
ａ）インナーチューブとインナーチューブの周囲の装着されるアウターチューブとを備えるカテーテルアセンブリを提供するステップであって、二つのチューブは、開口を有する壁と遠位端開口を有する遠位端とを備え、開口は二つのチューブの壁を貫通するガイドワイヤを許容するために、二つのチューブの壁に貫通形成され、インナーチューブとアウターチューブは互いに軸方向に移動可能である、ステップと、
ｂ）インナーチューブの遠位端を位置決めし、アウターチューブの遠位端を越えて遠くに延ばすステップと、
ｃ）ガイドワイヤの近位端をインナーチューブの遠位端に挿入し、ガイドワイヤの近位端が二つのチューブの壁を貫く開口を通って延びるまで、ガイドワイヤをインナーチューブに通し続けるステップと、
ｄ）インナーチューブとアウターチューブの遠位端が第２の血管内デバイスを越えて通過し、インナーチューブの遠位端が第１の血管内デバイスの近傍に配置されるまで、カテーテルアセンブリをガイドワイヤを越えて遠位端の方向へ通すステップと、
ｅ）アウターチューブの遠位端を位置決めし、インナーチューブの遠位端を越えて遠くに延ばすステップと、
ｆ）第１のデバイスに対してアウターチューブの遠位端開口を動かし、第１の血管内デバイスをアウターチューブの遠位端開口に挿入して、アウターチューブの遠位端開口に残すステップと、
ｇ）カテーテルを取り除くステップ、を含む、
ことを特徴とする方法。
【請求項９】
第２の血管内デバイスの側壁を通して第１の血管内デバイスを回収する方法であって、
ａ）インナーチューブとインナーチューブの周囲の装着されるアウターチューブとを備えるカテーテルアセンブリを提供するステップであって、二つのチューブは、壁を貫く開口を有する壁と遠位端開口を有する遠位端とを備え、開口は二つのチューブの壁を貫通するガイドワイヤを許容するために、二つのチューブの壁に貫通形成され、インナーチューブとアウターチューブは互いに軸方向に移動可能であるステップと、
ｂ）インナーチューブの遠位端を位置決めし、アウターチューブの遠位端を越えて遠くに延ばすステップと、
ｃ）ガイドワイヤの近位端をインナーチューブの遠位端に挿入し、ガイドワイヤの近位端が二つのチューブの壁を貫く開口を通って延びるまで、ガイドワイヤをインナーチューブに通し続けるステップと、
ｄ）カテーテルアセンブリを第２の血管内デバイスの側壁を通して挿入するステップと、
ｅ）インナーチューブとアウターチューブの遠位端が第２の血管内デバイスを越えて通過し、インナーチューブの遠位端が第１の血管内デバイスの近傍に配置されるまで、カテーテルアセンブリをガイドワイヤを越えて遠位方向へ通すステップと、
ｆ）アウターチューブの遠位端を位置決めし、インナーチューブの遠位端を越えて遠くに延ばすステップと、
ｇ）第１のデバイスに対してアウターチューブの遠位端開口を動かし、第１の血管内デバイスをアウターチューブの遠位端開口に挿入して、アウターチューブの遠位端開口に残すステップと、
ｈ）カテーテルを取り除くステップと、を含む、
ことを特徴とする方法。
【請求項１０】
チューブ状ダイレータ部材とチューブ状シース部材は、ガイドワイヤが開口とスロットの両方に挿入された後、互いに対して軸方向に動くことを特徴とする請求項９に記載のカテーテルアセンブリ。
【手続補正５】
【補正対象書類名】図面
【補正対象項目名】図１Ｂ
【補正方法】変更
【補正の内容】
【図１Ｂ】
2010540072.tif 000001
【手続補正６】
【補正対象書類名】図面
【補正対象項目名】図１Ｃ
【補正方法】変更
【補正の内容】
【図１Ｃ】
2010540072.tif 000002
【手続補正７】
【補正対象書類名】図面
【補正対象項目名】図１Ｄ
【補正方法】変更
【補正の内容】
【図１Ｄ】
2010540072.tif 000003
【手続補正８】
【補正対象書類名】図面
【補正対象項目名】図１Ｅ
【補正方法】変更
【補正の内容】
【図１Ｅ】
2010540072.tif 000004